(57)【要約】【課題】映像の撮影中に記録手段の記録可能容量が少なくなったことを示す警告状態を検出した場合に、撮影者に振動による警告を報知する。【解決手段】記録手段４０の記録可能容量を取得し所定の警告状態を検出した場合に警告信号を発生する残容量確認手段５０と、カメラ装置１の把持部に伝動させるべき振動を発生する振動発生手段７０と、符号化手段３０の符号化ビットレートを変更するビットレート制御手段８０と、残容量確認手段５０が警告信号を発生した場合に、ビットレート制御手段８０を、符号化手段３０の符号化ビットレートを下げるように制御すると共に、振動発生手段７０に振動を発生させるよう制御する振動制御手段６０とを備えて構成した。【選択図】図１
2009118374.tif 000002
【特許請求の範囲】
【請求項１】
撮像手段で撮像された画像データを符号化手段で符号化して記録手段に記録するカメラ装置において、
前記記録手段の記録可能容量を取得し所定の警告状態を検出した場合に警告を発生する残容量確認手段と、
当該カメラ装置の把持部に伝動させるべき振動を発生する振動発生手段と、
前記符号化手段の符号化ビットレートを変更するビットレート制御手段と、
前記残容量確認手段が前記警告を発生した場合に、前記ビットレート制御手段を、前記符号化手段の符号化ビットレートを下げるように制御すると共に、前記振動発生手段に振動を発生させるよう制御する振動制御手段と、
を備えたことを特徴とするカメラ装置。
【請求項２】
前記残容量確認手段が、異なるレベルの警告状態にそれぞれ応じて警告を発生するようにし、
前記振動制御手段が、前記発生された各警告に対応させて、前記ビットレート制御手段を、前記符号化手段の符号化ビットレートを下げるように制御すると共に、前記振動発生手段に振動を発生させるよう制御するようにした
ことを特徴とする請求項１記載のカメラ装置。
【発明の詳細な説明】
【技術分野】
【０００１】
本発明は、映像の撮影中に記録媒体の記録可能容量が少なくなったことを示す警告状態を検出した場合に、振動によって撮影者に警告を報知するカメラ装置に関するものである。
【背景技術】
【０００２】
デジタルスチルカメラやビデオカメラにおいて、記録媒体の記録可能容量が少なくなった場合に、撮影者にそれを報知する機能を有したものが知られている。この報知手段としては、カメラのビューファインダや液晶表示パネル等に画像の記録可能枚数やテープ残量時間等を表示させたり、アラーム音やメッセージ音声をスピーカから出力させたりして撮影者に注意を喚起するものが一般的である。
【０００３】
また、画像を記録する記録媒体の残りが少ないことを示す撮像枚数警告の警告状態を検出した場合に、発振手段の振動によって警告を撮影者に報知することができるカメラも知られている（例えば、特許文献１参照）。
【特許文献１】特開２００３−２１５６９１号公報
【発明の開示】
【発明が解決しようとする課題】
【０００４】
しかしながら、上記特許文献１記載のカメラは、このカメラが振動を発して撮影者に警告を報知している際に撮影者が撮像の指示を入力すると、その振動の発生を禁止して撮像を実行することを可能にするものであり、この構成により、撮像時に発する振動による不具合の発生を防止する効果が奏されるものである。よって、このカメラの技術をビデオカメラに適用した場合、映像の撮影中に警告状態を検出したときに振動を発生させて撮影者に報知することができない。
【０００５】
そこで、本発明は上記問題に鑑みてなされたものであり、映像の撮影中に記録手段の記録可能容量が少なくなったことを示す警告状態を検出した場合に、撮影者に振動による警告を効果的に報知することが可能なカメラ装置を提供することを目的とする。
【課題を解決するための手段】
【０００６】
本発明は、上記の課題を解決するために、以下［１］，［２］の手段を提供するものである。
［１］  撮像手段（２０）で撮像された画像データを符号化手段（３０）で符号化して記録手段（４０）に記録するカメラ装置（１）において、
前記記録手段（４０）の記録可能容量を取得し所定の警告状態を検出した場合に警告を発生する残容量確認手段（５０）と、
当該カメラ装置（１）の把持部に伝動させるべき振動を発生する振動発生手段（７０）と、
前記符号化手段（３０）の符号化ビットレートを変更するビットレート制御手段（８０）と、
前記残容量確認手段（５０）が前記警告を発生した場合に、前記ビットレート制御手段（８０）を、前記符号化手段（３０）の符号化ビットレートを下げるように制御すると共に、前記振動発生手段（７０）に振動を発生させるよう制御する振動制御手段（６０）と、
を備えたことを特徴とするカメラ装置（１）。
［２］  前記残容量確認手段（５０）が、異なるレベルの警告状態にそれぞれ応じて警告を発生するようにし、
前記振動制御手段（６０）が、前記発生された各警告に対応させて、前記ビットレート制御手段（８０）を、前記符号化手段（３０）の符号化ビットレートを下げるように制御すると共に、前記振動発生手段（７０）に振動を発生させるよう制御するようにした
ことを特徴とする上記［１］記載のカメラ装置（１）。
【発明の効果】
【０００７】
本発明によれば、映像の撮影中に記録手段の記録可能容量が少なくなったことを示す警告状態を検出した場合に、撮影者に振動による警告を効果的に報知することが可能となる。
【発明を実施するための最良の形態】
【０００８】
本発明を実施するための最良の形態であるカメラ装置は、撮影中に記録可能容量が少なくなったことを、振動を発生させて撮影者に報知する機能を有したものであることを前提としたものであるが、この振動によりカメラ装置自体が震えてしまうと画像データの符号化処理において符号化データ量が不要に増加してしまうおそれがある。そこで、本実施形態は、この不具合を改善するためのものである。以下、本実施形態について、図面を参照して詳細に説明する。
【０００９】
図１に、本発明の実施形態であるカメラ装置１の概略構成図を示す。同図において、カメラ装置１は、レンズ手段１０と、撮像手段２０と、符号化手段３０と、記録手段４０と、残容量確認手段５０と、振動制御手段６０と、振動発生手段７０と、ビットレート制御手段８０とを備えている。
【００１０】
レンズ手段１０は、被写体像を撮像手段２０の受光面に結像させる光学系である。撮像手段２０は、レンズ手段１０の入射光を受光して光電変換しデジタル画像データに変換する。符号化手段３０は、撮像手段２０で得られたデジタル画像データを高能率符号化処理して符号化画像データを生成する。この符号化方式としては、ＭＰＥＧ２方式が好適であるがこれに限定されるものではなく他の符号化方式によるものであってよい。但し、符号化手段３０は外部から符号化ビットレートの設定が変更可能であることが必要である。
【００１１】
記録手段４０は、符号化手段３０で生成された符号化画像データを記録する。記録手段４０には、不図示の記録媒体としてＤＶＤ（Ｄｉｇｉｔａｌ  Ｖｅｒｓａｔｉｌｅ  Ｄｉｓｃ）等の光ディスク、ハードディスク、デジタルビデオテープ、半導体メモリ等が適用でき、この記録媒体は着脱可能なものとしてもよい。残容量確認手段５０は、カメラ装置１が録画モードで停止中のとき又は録画動作中に、記録手段４０の記録可能容量値を定期的に取得し、閾値である所定の容量値よりも少なくなったとき、警告状態を検出したとして振動制御手段６０に対し警告信号を出力する。なお、この閾値は１つに限る必要はなく、警告状態のレベルに応じて複数種類あり、各別に対応した警告信号を出力するようにしてもよい。
【００１２】
振動制御手段６０は、残容量確認手段５０からの警告信号を入力した場合に、ビットレート制御手段８０に対して、符号化手段３０の符号化ビットレートの設定を警告信号に応じて変更するよう制御する。そして、振動制御手段６０は、ビットレート制御手段８０を制御した後、警告信号に応じた振動開始指示を振動発生手段７０に与える。また、振動制御手段６０は、振動開始の指示後、所定のタイミングで振動発生手段７０に振動停止指示を与える。この所定のタイミングは、例えば、撮影者からの操作入力に基づくものとしてもよいし、振動開始の指示後一定時間が経過したときとしてもよい。
【００１３】
振動発生手段７０は、振動制御手段６０からの警告信号に応じた振動開始指示の供給に基づき、カメラ装置１の少なくとも把持部に撮影者が手に感じられる程度の振動を発生させて伝動させる。ここで、振動発生手段７０は、警告信号に応じて振動の大きさ（振幅）や周期等の振動パターンを変えるようにするのが好ましい。また、振動発生手段７０は、振動制御手段６０からの振動停止指示の供給に基づき振動の発生を停止する。
【００１４】
なお、振動発生手段７０で発生させる振動の大きさ、周期、振動時間等のパラメータは、記録手段４０のメカニズム、特に記録媒体としてハードディスクを用いる場合は、ハードディスクの書込み手段に悪影響を与えないように考慮され決定されるものとする。
【００１５】
ビットレート制御手段８０は、振動制御手段６０の制御により符号化手段３０の符号化ビットレートの設定を変更する。すなわち、ビットレート制御手段８０は、振動制御手段６０により供給された警告信号に応じて符号化手段３０に設定されている符号化ビットレートを更に下げるよう変更する。これにおいて、変更後の符号化ビットレートは、振動発生手段７０が発生する振動によってカメラ装置１がぶれることにより符号化手段３０で生成される符号化画像データのデータ量が増加する分を、符号化ビットレートを下げることによって削減するように予め決定しておくのが望ましい。
【００１６】
上述したとおり、本実施形態のカメラ装置１は、撮影中に記録手段４０の記録可能容量が少なくなったことを検出した場合に、符号化手段３０の符号化ビットレートの設定を下げた後に振動発生手段７０で振動を発生させ、撮影者に録画可能容量が少ないことを知らせることができる。これにおいて、カメラ装置１は、記録手段４０の複数種類の記録可能容量にそれぞれ応じた振動パターンで振動を発生させることができる。
【００１７】
したがって、本実施形態のカメラ装置１は、撮影中に録画可能容量が少ないことを撮影者に報知するための振動を発生している間は、符号化ビットレートを低く抑えてデジタル画像データを符号化するようにしたので、カメラ装置１の振動による報知によって符号化画像データのデータ量が不要に増加し記録容量を浪費することを防止することができる。
【実施例１】
【００１８】
次に、上述した実施形態に基づく第１の実施例について、図面を参照して詳細に説明する。図２に、本発明の第１の実施例であるデジタルビデオカメラ２の概略構成図を示す。同図において、デジタルビデオカメラ２は、レンズ部２００と、撮像素子２１０と、撮像処理部２２０と、表示部２３０と、画像符号化部２４０と、記録部２５０と、中央処理部２６０と、振動発生部２７０と、操作部２８０とを備えている。
【００１９】
レンズ部２００は、撮像素子２１０の受光面に対する焦点距離を変更可能な光学系である。具体的には、複数のレンズ群と、絞り及び焦点並びにズームの調節機構とで構成されている。レンズ部２００は、撮像処理部２２０による絞り及び焦点並びにズームの調節機構の制御により、被写体の画角サイズや焦点距離等を変更する。
【００２０】
撮像素子２１０は、レンズ部２００の入射光を受光して光電変換しデジタル画像データに変換するものであり、例えばＣＣＤ素子を用いることができる。なお、本実施例では、撮像素子２１０は、フレーム１枚分のデジタル画像データを所定時間毎に出力するものである。
【００２１】
撮像処理部２２０は、ＲＯＭ及びＲＡＭ（いずれも不図示）を備え、このＲＯＭには撮像処理制御プログラムが記憶されている。そして、撮像処理部２２０は、ＲＯＭから撮像処理制御プログラムを読み出してＲＡＭに展開し実行することにより、レンズ部２００や撮像素子２１０の動作を制御する処理を行う。
【００２２】
表示部２３０は、撮像素子２１０から出力されるデジタル画像データや、操作部２８０の操作に基づく操作画面や、デジタルビデオカメラ２の状態画面等を表示するためものであり、例えばビューファインダや液晶ディスプレイパネルを用いることができる。
【００２３】
画像符号化部２４０は、中央処理部２６０の制御により指示される符号化処理開始時から符号化処理終了時までの間、撮像素子２１０から出力されるデジタル画像データを高能率符号化処理して符号化画像データに変換し出力する。画像符号化部２４０には、例えばＭＰＥＧ２エンコーダを用いることができる。画像符号化部２４０における高能率符号化処理においては、中央処理部２６０の制御により符号化ビットレートの設定を変更することができる。
【００２４】
記録部２５０は、画像符号化部２４０から出力された符号化画像データを記録媒体に記録する。記録部２５０には、例えば、ＤＶＤドライブ、ハードディスクドライブ、半導体メモリドライブ等を用いることができ、ＤＶＤや半導体メモリ等の記録媒体は着脱可能にする。また、ハードディスクドライブ自体を着脱可能なように構成してもよい。
【００２５】
中央処理部２６０は、ＲＯＭ及びＲＡＭ（いずれも不図示）を備え、このＲＯＭには制御プログラムが記憶されている。そして、中央処理部２６０は、ＲＯＭから制御プログラムを読み出しＲＡＭに展開して実行することにより、デジタルビデオカメラ２全体の動作を制御する。また特に、撮像処理部２２０に制御信号を供給して、撮像処理部２２０の制御を行う。
【００２６】
中央処理部２６０は、本発明の実施形態の構成図である図１の残容量確認手段５０、振動制御手段６０、及びビットレート制御手段８０の各機能を含むものであり、ＲＯＭに記憶された制御プログラムの機能の一つめとして記録媒体残容量確認処理を実行する。この処理は、デジタルビデオカメラ２が録画モードで停止中のとき又は録画動作中に実行されるものであり、記録部２５０から記録媒体の記録可能容量値を定期的に取得し、閾値である所定の容量値と比較してこれよりも少ないか否かを判定するものである。
【００２７】
また、中央処理部２６０は、制御プログラムの機能の二つめとして符号化ビットレート制御処理を実行する。この処理は、上記記録媒体残容量確認処理における判定により取得された記録可能容量値が閾値である所定の容量値よりも少ないと判定された場合に、画像符号化部２４０に対して符号化ビットレートを下げるように設定を変更するものである。
【００２８】
さらに、中央処理部２６０は、制御プログラムの機能の三つめとして振動制御処理を実行する。この処理は、上記符号化ビットレート制御処理の後、振動発生部２７０に振動開始指示を与えるものである。また、中央処理部２６０は、この振動制御処理において振動開始の指示後、所定のタイミングで振動発生部２７０に振動停止指示を与える。この所定のタイミングは、例えば、撮影者の操作部２８０の操作入力に基づくものとしてもよいし、振動開始の指示後一定時間が経過したときとしてもよい。
【００２９】
振動発生部２７０は、中央処理部２６０で実行される制御プログラムの振動制御処理において、振動開始指示の供給に基づき、デジタルビデオカメラ２の少なくとも把持部に撮影者が手に感じられる程度の振動を発生させて伝動する。そして、振動停止指示の供給に基づき振動の発生を停止する。ここで、振動発生部２７０は公知の振動モータを適用することができる。図３に、振動モータを説明するための概略の模式図を示す。同図において振動モータは、モータ２７０ａと偏心錘２７０ｂとから構成される。振動モータは、モータ２７０ａを駆動して偏心錘２７０ｂを回転させることにより、発生する遠心力により振動を発生させる。モータ２７０ａは駆動電圧に所定の幅があり、低い駆動電圧では回転が遅く、高い駆動電圧では回転が速い。よって、この振動モータは、駆動電圧が高くなるにつれて振動が大きくなる。
【００３０】
操作部２８０は、撮影者にデジタルビデオカメラ２の操作を行わせるための複数の操作用ボタン（不図示）を有して構成される。撮影者による操作用ボタンの操作により、操作部２８０は、各種の操作信号を発生させて央処理部２６０に各種の操作指示を与える。例えば、操作部２８０で録画開始の操作がされることにより、中央処理部２６０は、画像符号化部２４０にデジタル画像データの符号化処理を開始させ、そして符号化画像データの記録部２５０への記録を開始させる。また、録画停止の操作がされることにより、中央処理部２６０は、画像符号化部２４０にデジタル画像データの符号化処理を停止させ、そして符号化画像データの記録部２５０への記録を停止させる。また、振動発生部２７０により振動が発生しているときの操作部２８０の振動停止の操作により、振動発生部２７０の振動を停止させる。さらには、操作部２８０の操作により、中央処理部２６０の振動制御処理を有効にするか否かの選択ができる。振動制御処理が無効になるよう操作された場合は、振動発生部２７０は振動を発生させない。
【００３１】
次に、本実施例であるデジタルビデオカメラ２の動作について、特に振動による報知を開始させるまでの動作について、図４のフローチャートを併せ参照して説明する。デジタルビデオカメラ２が、レンズ部２００の入射光を撮像素子２１０で撮像し、得られたデジタル画像データを表示部２３０に表示させると共に、画像符号化部２４０に供給している状態において、操作部２８０から録画開始の操作がされると、中央処理部２６０は、画像符号化部２４０にデジタル画像データの高能率符号化処理を開始させる（Ｓ４０１）。これにより、画像符号化部２４０は、デジタル画像データを高能率符号化処理して符号化画像データを生成し記録部２５０に供給する。そして、記録部２５０は符号化画像データを記録媒体に記録する（Ｓ４０２）。
【００３２】
中央処理部２６０は、記録媒体への記録が行われている間、記録部２５０の記録可能容量値を定期的に取得し（Ｓ４０３）、閾値である所定の容量値と比較してこれよりも少ないか否かの判定を行う（Ｓ４０４）。そして、取得した記録可能容量値が所定の容量値以上であると判定された場合はステップＳ４０２の処理に戻る（Ｓ４０４  Ｎｏ）。一方、記録可能容量値が所定の容量よりも少ないと判定された場合は、ステップＳ４０５に移行する（Ｓ４０４  Ｙｅｓ）。
【００３３】
ステップＳ４０５においては、中央処理部２６０は画像符号化部２４０の符号化ビットレートをさらに下げるように設定を変更し（Ｓ４０５）、振動発生部２７０に振動開始指示を供給する（Ｓ４０６）。
【００３４】
よって、本実施例のデジタルビデオカメラ２は、撮影中に録画可能容量が少ないことを撮影者に報知するための振動を発生している間は、符号化ビットレートを低く抑えてデジタル画像データを符号化するようにしたので、デジタルビデオカメラ２の振動による報知によって符号化画像データのデータ量が不要に増加し記録容量を浪費することを防止することができる。
【実施例２】
【００３５】
次に、前述した実施形態に基づく第２の実施例について、図面を参照して詳細に説明する。図５に、本発明の第２の実施例であるデジタルビデオカメラ３の概略構成図を示す。同図において、図２に示した第１の実施例であるデジタルビデオカメラ２と同一の構成については、同一の符号を付してその説明を省略する。図５において、デジタルビデオカメラ３は、更に警告関連情報記憶部２９０を備えている。
【００３６】
警告関連情報記憶部２９０には、図６に示すように、記録部２５０の警告状態６ａと、振動発生部２７０の振動モータの印加電圧値６ｂと、画像符号化部２４０に設定すべき符号化ビットレート設定値６ｃとを関連付けて警告関連情報として記憶している。同図において、３種類の警告関連情報は、警告状態６ａを、記録部２５０の記録可能容量が全体のＡ１（％），Ａ２（％），及びＡ３（％）である場合とし、各警告状態に対応させて、振動発生部２７０の振動モータの印加電圧値６ｂを、Ｖ１（Ｖ），Ｖ２（Ｖ），及びＶ３（Ｖ）とし、画像符号化部２４０に設定すべき符号化ビットレート設定値６ｃを、Ｒ１（ｂｐｓ），Ｒ２（ｂｐｓ），及びＲ３（ｂｐｓ）とする。そして、警告状態６ａをＡ１（％）＞Ａ２（％）＞Ａ３（％）、印加電圧値６ｂをＶ１（Ｖ）＜Ｖ２（Ｖ）＜Ｖ３（Ｖ）、符号化ビットレート設定値６ｃを、Ｒ１（ｂｐｓ）＞Ｒ２（ｂｐｓ）＞Ｒ３（ｂｐｓ）とする。
【００３７】
警告関連情報記憶部２９０は、中央処理部２６０の制御プログラムの実行における、記憶媒体残容量確認処理、符号化ビットレート制御処理、及び振動制御処理において参照されるものである。
【００３８】
次に、本実施例であるデジタルビデオカメラ３の動作について、特に、図６の警告状態６ａ＝Ａ１（％）に基づく振動を開始させるまでの動作を例として、図７のフローチャートを併せ参照して説明する。なお、警告状態６ａ＝Ａ２（％），Ａ３（％）に基づく振動を開始させるまでの動作についても同様のフローを繰り返すことにより実行するものとする。まず、デジタルビデオカメラ３が、レンズ部２００の入射光を撮像素子２１０で撮像し、得られたデジタル画像データを表示部２３０に表示させると共に、画像符号化部２４０に供給している状態において、操作部２８０から録画開始の操作がされると、中央処理部２６０は、画像符号化部２４０にデジタル画像データの高能率符号化処理を開始させる（Ｓ７０１）。これにより、画像符号化部２４０は、デジタル画像データを高能率符号化処理して符号化画像データを生成し記録部２５０に供給する。そして、記録部２５０は符号化画像データを記録媒体に記録する（Ｓ７０２）。
【００３９】
中央処理部２６０は、記録媒体への記録が行われている間、記録部２５０の記録可能容量値を定期的に取得し（Ｓ７０３）、警告関連情報記憶部２９０の警告状態６ａ＝Ａ１（％）と比較してこれよりも少ないか否かの判定を行う（Ｓ７０４）。そして、取得した記録可能容量値が警告状態６ａ、すなわちＡ１（％）以上であると判定された場合は、ステップＳ７０２の処理に戻る（Ｓ７０４  Ｎｏ）。一方、記録可能容量値が警告状態６ａ、すなわちＡ１（％）よりも少ないと判定された場合は、ステップＳ７０５に移行する（Ｓ７０４  Ｙｅｓ）。
【００４０】
ステップＳ７０５において、中央処理部２６０は、画像符号化部２４０の符号化ビットレートを符号化ビットレート設定値６ｃ、すなわちＲ１（ｐｂｓ）に変更し（Ｓ７０５）、振動発生部２７０に印加電圧値６ｂ、すなわちＶ１（Ｖ）を印加する（Ｓ７０６）。
【００４１】
よって、本実施例のデジタルビデオカメラ３は、撮影中に記録可能容量が少なくなったことを３段階で検出し、各検出段階において大きさ（振幅）の異なる振動を発生させて撮影者に報知することができる。これにより、撮影者は、撮影可能時間が残り少ないことを段階的に知ることができるため、残り限られた撮影時間をどのように使っていくか予定を立て易くなる。これにおいて、各振動の大きさに応じた符号化ビットレートが設定されるため、振動によって符号化画像データのデータ量が不要に増加し記録容量を浪費することを防止することができる。
【００４２】
なお、本実施例では、図６に示したように３種類の警告関連情報を警告関連情報記憶部２９０に記憶する例としたが、警告関連情報の数についてはこれに限定されないことはいうまでもない。
【００４３】
また、同図において、警告状態６ａを記録容量全体に対する残容量率とするのではなく、残容量値（バイト数）や録画時間としてもよい。さらには、印加電圧値６ｂを用いて印加電圧値を変更するのではなく、振動パターンや振動周期を変化させるパラメータを用いるようにしてもよい。
【図面の簡単な説明】
【００４４】
【図１】本発明の実施形態であるカメラ装置１の概略構成を示したブロック図である。
【図２】本発明の第１の実施例であるデジタルビデオカメラ２の概略構成を示したブロック図である。
【図３】本発明の第１の実施例に適用される振動モータを説明するための概略の模式図である。
【図４】本発明の第１の実施例であるデジタルビデオカメラ２の動作を説明するためのフローチャートである。
【図５】本発明の第２の実施例であるデジタルビデオカメラ３の概略構成を示したブロック図である。
【図６】本発明の第２の実施例に適用される警告関連情報記憶部２９０のデータ構成図の例である。
【図７】本発明の第２の実施例であるデジタルビデオカメラ３の動作を説明するためのフローチャートである。
【符号の説明】
【００４５】
１  カメラ装置
２，３  デジタルビデオカメラ
１０  レンズ手段
２０  撮像手段
３０  符号化手段
４０  記録手段
５０  残容量確認手段
６０  振動制御手段
７０  振動発生手段
８０  ビットレート制御手段
２００  レンズ部
２１０  撮像素子
２２０  撮像処理部
２３０  表示部
２４０  画像符号化部
２５０  記録部
２６０  中央処理部
２７０  振動発生部
２８０  操作部
２９０  警告関連情報記憶部
【図１】
2009118374.tif 000003
【図２】
2009118374.tif 000004
【図３】
2009118374.tif 000005
【図４】
2009118374.tif 000006
【図５】
2009118374.tif 000007
【図６】
2009118374.tif 000008
【図７】
2009118374.tif 000009